(57)【特許請求の範囲】
【請求項１】
回線で接続された相手ファクシミリ装置との間でファクシミリ通信を行うファクシミリ通信手段と、前記回線を介して相手先との音声通話を行う電話機と、着信時に回線を介して相手先から送られてくるトーン信号を検出するトーン信号検出手段と、前記回線をファクシミリ通信手段と前記電話機とに択一的に接続する回線切換手段と、前記電話機のオフフック状態を検出するオフフック検出手段と、前記回線切換手段により前記回線を前記電話機に接続した状態で、着信があり、前記電話機がオフフックしたことを前記オフフック検出手段が検出した後、前記トーン検出手段が前記回線からの所定のトーン信号を検出すると、前記回線切換手段により前記回線を前記電話機から前記ファクシミリ通信手段に切り換えて接続させ、ファクシミリ受信を行わせる制御手段と、を備えたファクシミリ装置において、
前記電話機と前記トーン信号検出手段との間に設けた、少なくとも前記所定のトーン信号と同じ周波数の信号を遮断する機能があって前記制御手段により該遮断機能の有効／無効が制御可能な信号遮断手段と、前記電話機による通話を優先する電話モードを選択するモード選択手段とを備え、前記制御手段が、待機状態においては前記信号遮断手段を無効にセットしておき、着信があって前記電話機がオフフックすると電話モードが選択されている場合は前記信号遮断手段の無効を継続し、選択されていない場合に前記信号遮断手段を有効にする、ことを特徴とするファクシミリ装置。
【請求項２】
回線で接続された相手ファクシミリ装置との間でファクシミリ通信を行うファクシミリ通信手段と、前記回線を介して相手先との音声通話を行う電話機と、着信時に回線を介して相手先から送られてくるトーン信号を検出するトーン信号検出手段と、前記回線をファクシミリ通信手段と前記電話機とに択一的に接続する回線切換手段と、前記電話機のオフフック状態を検出するオフフック検出手段と、前記回線切換手段により前記回線を前記電話機に接続した状態で、着信があり、前記電話機がオフフックしたことを前記オフフック検出手段が検出した後、前記トーン検出手段が前記回線からの所定のトーン信号を検出すると、前記回線切換手段により前記回線を前記電話機から前記ファクシミリ通信手段に切り換えて接続させ、ファクシミリ受信を行わせる制御手段と、を備えたファクシミリ装置において、
前記電話機と前記トーン信号検出手段との間に設けた、少なくとも前記所定のトーン信号と同じ周波数の信号を遮断する機能があって前記制御手段により該遮断機能の有効／無効が制御可能な信号遮断手段と、該遮断機能の有効／無効を設定する設定手段とを備え、前記制御手段が、待機状態においては前記信号遮断手段を無効にセットしておき、着信があって前記電話機がオフフックすると前記設定手段により無効が設定されている場合は前記信号遮断手段の無効を継続し、前記設定手段により有効が設定されている場合に前記信号遮断手段を有効にする、ことを特徴とするファクシミリ装置。
【請求項３】
前記電話機は、所定の接続部を介して接続された外付け電話機を含む請求項１又は請求項２に記載のファクシミリ装置。
【請求項４】
前記電話機は、前記ファクシミリ装置に内蔵の内蔵電話機を含む請求項１，請求項２又は請求項３に記載のファクシミリ装置。
【発明の詳細な説明】
【０００１】
【発明の属する技術分野】
本発明は、ファクシミリ装置に関し、詳細には、外付け接続あるいは内蔵接続された電話機を備え、ＣＮＧ信号検出によりファクシミリ通信及び電話機による会話を自動切換動作する際の誤動作を防止するファクシミリ装置に関する。
【０００２】
【従来の技術】
近時、ファクシミリ装置は、小型化、低コスト化、電話機能内蔵化が進み、１本の電話回線に接続してファクシミリ装置としても電話器としても使用できるようになってきていることから、一般家庭や中小企業等でも使用されるようになった。このような一般家庭や中小企業等においては、ファクシミリ装置のために新たな電話回線を引かず、電話器を外付けで接続したり、電話器を内蔵した電話機能付きファクシミリ装置が普及している。
【０００３】
このような電話機を内蔵あるいは外付けしたファクシミリ装置では、送信側から送られてくるＣＮＧ（Calling Tone）信号を検出した場合に、電話回線をファクシミリ装置側に自動的に接続する回線自動切換機能を内蔵している。
【０００４】
この従来のＣＮＧ信号検出による回線自動切換方式としては、ファクシミリ通信における通話／通信自動切換方式（特願平４−１４２１４６号公報参照）があり、この場合、自動応答モード設定時に着信があった場合に、トーン検出状態に入るとタイマを始動させ、ＣＮＧ信号を検出したときはファクス受信動作を行い、ＣＮＧ信号以外の信号を検出したときは鳴動してオフフック動作を待ち、タイマによる一定時間内に、ファクシミリ装置側がオフフックされたときはファクシミリ装置側に回線を接続し、電話機側がオフフックされたときは電話機側に回線を接続するようにしている。
【０００５】
【発明が解決しようとする課題】
しかしながら、このような従来の回線自動切換機能を備えたファクシミリ装置にあっては、送信側から送られてくるＣＮＧ信号を検出するかＣＮＧ信号以外の信号を検出するかにより、回線をファクシミリ装置側に接続するか電話機側に接続するかを決定するようになっていたため、ファクシミリ装置に内蔵あるいは外付けされた電話機により相手先電話機と通話中にファクシミリ装置内のＣＮＧ信号検出回路が誤動作してファクシミリ受信動作を開始してしまい、通話を中断させてしまうという問題が発生していた。
【０００６】
すなわち、ＣＮＧ信号検出回路では、ＣＮＧ信号の特徴である１１００Ｈｚの信号を検出するように構成されているため、通話中に電話機のマイクから入ってくる声あるいは周囲の環境音に含まれる１１００Ｈｚ成分を検出して、これをＣＮＧ信号と誤って検出してファクシミリ受信動作を開始してしまい、通話を中断させてしまうという問題が発生していた。
【０００７】
そこで、ファクシミリ通信と通話との自動切換用のトーン信号と同様の周波数の信号を遮断する信号遮断手段を設けることにより、電話機による通話中に通話音声や周囲の環境音に含まれる当該周波数の音声信号を自動切換用のトーン信号と誤検出して自動切換することを防止して、適切な通話を行うことのできるファクシミリ装置が提供されている。これによれば、電話モードにおいて電話機で通話を行っている場合、すなわち、自動切換を行う必要がない場合に、信号遮断手段により電話機による通話音の音質が低下する。
【０００８】
請求項１および２に記載の発明は、信号遮断手段により電話機による通話音の音質が低下するのを防止して、良好な音質で会話を行うことのできるファクシミリ装置を提供することを目的としている。
【０００９】
請求項３記載の発明は、外付け電話機を使用している場合にも、適切な通話を行うことのできるファクシミリ装置を提供することを目的としている。
【００１０】
請求項４記載の発明は、内蔵電話機を使用している場合にも、適切な通話を行うことのできるファクシミリ装置を提供することを目的としている。
【００１１】
【課題を解決するための手段】
請求項１記載の発明のファクシミリ装置は、回線で接続された相手ファクシミリ装置との間でファクシミリ通信を行うファクシミリ通信手段と、前記回線を介して相手先との音声通話を行う電話機と、着信時に回線を介して相手先から送られてくるトーン信号を検出するトーン信号検出手段と、前記回線をファクシミリ通信手段と前記電話機とに択一的に接続する回線切換手段と、前記電話機のオフフック状態を検出するオフフック検出手段と、前記回線切換手段により前記回線を前記電話機に接続した状態で、着信があり、前記電話機がオフフックしたことを前記オフフック検出手段が検出した後、前記トーン検出手段が前記回線からの所定のトーン信号を検出すると、前記回線切換手段により前記回線を前記電話機から前記ファクシミリ通信手段に切り換えて接続させ、ファクシミリ受信を行わせる制御手段と、を備えたファクシミリ装置において、
前記電話機と前記トーン信号検出手段との間に設けた、少なくとも前記所定のトーン信号と同じ周波数の信号を遮断する機能があって前記制御手段により該遮断機能の有効／無効が制御可能な信号遮断手段と、前記電話機による通話を優先する電話モードを選択するモード選択手段とを備え、前記制御手段が、待機状態においては前記信号遮断手段を無効にセットしておき、着信があって前記電話機がオフフックすると電話モードが選択されている場合は前記信号遮断手段の無効を継続し、選択されていない場合に前記信号遮断手段を有効にする、ことを特徴とする。
【００１２】
ここで、信号遮断手段としては、例えば、自動切換用の信号（例えば、ＣＮＧ信号）と同様の周波数、例えば、１１００Ｈｚを遮断するフィルタ回路等が利用される。
【００１３】
上記構成によれば、電話モードにおいて電話機で通話を行っている場合、すなわち、自動切換を行う必要がない場合に、信号遮断手段により電話機による通話音の音質が低下するのを防止することができ、良好な音質で会話を行うことができる。
【００１４】
請求項２記載の発明は、回線で接続された相手ファクシミリ装置との間でファクシミリ通信を行うファクシミリ通信手段と、前記回線を介して相手先との音声通話を行う電話機と、着信時に回線を介して相手先から送られてくるトーン信号を検出するトーン信号検出手段と、前記回線をファクシミリ通信手段と前記電話機とに択一的に接続する回線切換手段と、前記電話機のオフフック状態を検出するオフフック検出手段と、前記回線切換手段により前記回線を前記電話機に接続した状態で、着信があり、前記電話機がオフフックしたことを前記オフフック検出手段が検出した後、前記トーン検出手段が前記回線からの所定のトーン信号を検出すると、前記回線切換手段により前記回線を前記電話機から前記ファクシミリ通信手段に切り換えて接続させ、ファクシミリ受信を行わせる制御手段と、を備えたファクシミリ装置において、
前記電話機と前記トーン信号検出手段との間に設けた、少なくとも前記所定のトーン信号と同じ周波数の信号を遮断する機能があって前記制御手段により該遮断機能の有効／無効が制御可能な信号遮断手段と、該遮断機能の有効／無効を設定する設定手段とを備え、前記制御手段が、待機状態においては前記信号遮断手段を無効にセットしておき、着信があって前記電話機がオフフックすると前記設定手段により無効が設定されている場合は前記信号遮断手段の無効を継続し、前記設定手段により有効が設定されている場合に前記信号遮断手段を有効にする、ことを特徴とする。
【００１５】
上記構成によれば、設定手段の設定に応じて、適宜信号遮断手段の信号遮断機能を有効／無効に設定でき、適切な回線の自動切換動作を確保しつつ、通話音声の音質を向上させることができる。
【００１６】
前記電話機は、所定の接続部を介して接続された外付け電話機であってもよい。これによれば、外付け電話機を使用している場合にも、適切な回線の自動切換動作を確保して、適切な通話を行うことができ、また、通話音声の音質を向上させることができる。
【００１７】
前記電話機は、前記ファクシミリ装置に内蔵の内蔵電話機であってもよい。これによれば、内蔵電話機を使用している場合にも、適切な回線の自動切換動作を確保して、適切な通話を行うことができ、また、通話音声の音質を向上させることができる。
【００１８】
【発明の実施の形態】
以下、本発明の好適な実施の形態を添付図面に基づいて詳細に説明する。尚、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１９】
図１〜図４は、本発明のファクシミリ装置の一実施の形態を適用したファクシミリ装置を示す図である。図１において、ファクシミリ装置１は、網制御部２、制御部３、操作表示部４、プロッタ５及びスキャナ６等により構成されており、各部はバス７に接続されている。
【００２０】
操作表示部（選択手段、信号遮断機能選択手段）４は、テンキー、スタートキー、電話モードかファックスモードを選択するモード選択キー及び後述する１１００Ｈｚカットフィルタ２７、２８（図２参照）の機能の有効／無効選択キー等の各種操作キーを備えるとともに、ディスプレイ（例えば、液晶ディスプレイ）を備え、操作キーからは、送信操作等の各種命令が入力され、ディスプレイには、操作キーから入力された命令内容やファクシミリ装置からオペレータに通知する各種情報が表示される。プロッタ５は、例えば、サーマル素子を利用したサーマル記録装置、あるいは、電子写真式記録装置等が利用されており、プロッタ５は、例えば、サーマル記録装置が利用されているときには、感熱記録紙に直接、あるいは、普通記録紙にインクシートを介して間接的に画像を記録する。スキャナ６は、例えば、ＣＣＤ（Charge Coupled Device）を利用したイメージスキャナが利用されており、スキャナは原稿を走査して原稿の画情報を所定の解像度で読み取る。
【００２１】
網制御部２は、図２に示すように、直流検出部２１、フックスイッチ２２、リレー２３、トランス２４、モデム２５、内蔵電話機２６、１１００Ｈｚカットフィルタ２７、２８、ハイインピーダンストランス２９、トーン検出部３０及びリンギング信号検出部３１により構成されており、１１００Ｈｚカットフィルタ２８には、図示しない接続コネクタ（接続部）を介して外付け電話機４１が接続されている。外付け電話機４１は、図示しないが、マイクとスピーカを有した送受話器を備えている。直流検出部２１は、回線Ｌ１、Ｌ２に接続され、回線Ｌ１、Ｌ２の直流電流を検出することにより、モデム２５、内蔵電話機２６、外付け電話機４１がそれぞれオフフックしているか否かを検出して、オフフック検出信号を制御部３に出力する。フックスイッチ２２は、制御部３の制御下で動作し、内蔵電話機２６をオフフックする。リレー２３は、制御部３の制御下で動作して、回線Ｌ１、Ｌ２をモデム２５側と外付け電話機４１側とに切り換えて接続し、待機状態においては、回線Ｌ１、Ｌ２を外付け電話機４１側に接続している。トランス２４は、回線Ｌ１、Ｌ２とモデム２５との間でインピーダンス整合を取るとともに、一次側である回線Ｌ１、Ｌ２と二次側であるモデム２５との間の絶縁を取りつつ、回線Ｌ１、Ｌ２とモデム２５との間で信号の授受を行う。モデム２５は、スキャナ６で読み取られたデジタルの画像情報や制御部３から入力される各種プロトコル信号を回線Ｌ１、Ｌ２上に送信するために、アナログ信号に変調し、また、相手先から回線Ｌ１、Ｌ２を介して送られてきたアナログ信号の画像情報や各種プロトコル信号を復調してデジタル信号に変換する。
【００２２】
内線電話機２６は、ファクシミリ装置１に内蔵されている電話機であり、マイク及びスピーカを有した送受話器を備えている。内線電話機２６は、１１００Ｈｚカットフィルタ（信号遮断手段）２７を介して、フックスイッチ２２及びハイインピーダンストランス２９に接続されている。
【００２３】
１１００Ｈｚカットフィルタ２７は、内蔵電話機２６の送受話器のマイクから入力される音声信号や周囲の環境音信号から１１００Ｈｚの信号成分をカットして出力する。１１００Ｈｚカットフィルタ（信号遮断手段）２８は、上記接続コネクタを介して接続されている外付け電話機４１とハイインピーダンストランス２９の間に接続され、外付け電話機４１の送受話器のマイクから入力される音声信号や周囲の環境音信号から１１００Ｈｚの信号成分をカットして出力する。すなわち、１１００Ｈｚカットフィルタ２８は、外付け電話機４１接続用の接続用コネクタとハイインピーダンスと２９との間に接続されて、外付け電話機４１のマイクから入力される信号のうち１１００Ｈｚの信号成分をカットする。
【００２４】
なお、１１００Ｈｚカットフィルタ２７、２８は、１１００Ｈｚ信号成分をカットする機能を、制御部３から入力される有効／無効切換信号によりその機能が有効あるいは無効に設定され、無効に設定された場合は内蔵電話機２６あるいは外付け電話機４１の送受話器のマイクから入力される音声信号や周囲の環境音から１１００Ｈｚ信号成分をカットせずにそのまま出力する。
【００２５】
ハイインピーダンストランス２９は、一次側である回線Ｌ１、Ｌ２と二次側であるトーン検出部３０との間で絶縁を取りつつ、信号を双方に伝達する。トーン検出部３０は、ハイインピーダンストランス２９に接続され、内蔵電話機２６または外付け電話機４１で通話中に回線Ｌ１、Ｌ２上のトーン信号を検出して、その検出信号を制御部３に出力する。リンギング信号検出部３１は、回線Ｌ１、Ｌ２に接続され、回線Ｌ１、Ｌ２上のリンギング信号の有無を検出して、その検出信号を制御部３に出力する。
【００２６】
制御部３は、ＣＰＵ（Central Processing Unit ）、ＲＯＭ（Read Only Memory）及びＲＡＭ（Random Access Memory）等を備えており、ＲＯＭ内にはファクシミリ装置としての基本プログラムや本発明のフィルタ有効／無効切換処理プログラム等が格納されている。ＲＡＭは、ワークメモリとして使用され、各種データを記憶するメモリエリアが形成されている。制御部３は、そのＣＰＵがＲＯＭ内のプログラムに従ってファクシミリ装置１内の各部を制御し、ファクシミリ装置１としてのシーケンスを実行するとともに、本発明のフィルタ有効／無効切換処理を実行する。
【００２７】
すなわち、制御部３は、ファクシミリモードの場合は、網制御部２内の１１００Ｈｚカットフィルタ２７、２８の１１００Ｈｚ信号カット機能を有効にして、内蔵電話機２６あるいは外付け電話機４１から入力される音声信号に含まれる１１００Ｈｚ信号をカットして出力することにより、トーン検出部３０によるＣＮＧ信号の誤検出を防止し、電話モードの場合は、１１００Ｈｚカットフィルタ２７、２８の１１００Ｈｚ信号カット機能を無効にして、内蔵電話機２６あるいは外付け電話機４１から入力される音声信号に含まれる１１００Ｈｚ信号がカットされないようにして、通話中の音声信号が相手先に不自然に伝達されることを防止する。
【００２８】
次に、作用を説明する。ファクシミリ装置１は、着信時にファクシミリモードにセットされている場合には、１１００Ｈｚカットフィルタ２７、２８の機能を有効にして、内蔵電話機２６あるいは外付け電話機４１の送受話器のマイクから入力される音声信号や周囲の環境音から１１００Ｈｚ信号成分をカットして出力することにより、トーン検出部３０によるＣＮＧ信号の誤検出を防止し、着信時に電話モードにセットされている場合には、１１００Ｈｚカットフィルタ２７、２８の機能を無効にして、内蔵電話機２６あるいは外付け電話機４１により通話に際して、送受話器のマイクから入力される音声信号や周囲の環境音から１１００Ｈｚ信号成分をカットせず、自分の声に含まれる１１００Ｈｚ信号がフィルタ回路によりカットされ、相手側に伝わる音声が一部不自然になることを防ぐようにしたものである。
【００２９】
以下、フィルタ有効／無効切換処理について、図３及び図４に示すフローチャートに基づいて説明する。まず、図３に示す選択モードの設定状態に基づいて１１００Ｈｚカットフィルタ２７、２８の有効／無効を制御するフィルタ有効／無効切換処理について、以下、説明する。
【００３０】
ファクシミリ装置１は、待機状態において、リレー２３により回線Ｌ１、Ｌ２を外付け電話機４１側に接続し、１１００Ｈｚカットフィルタ２７、２８の機能を無効にセットしている。この待機状態において、制御部３は、網制御部２内のリンギング信号検出部３１による回線Ｌ１、Ｌ２からのリンギング信号の検出をチェックすることにより着信の有無を判別し（ステップＳ１）、着信が有ると、モード選択がファックスモード（ファクシミリモード）に選択されているか否かチェックする（ステップＳ２）。
【００３１】
モード選択がファックスモードに選択されていると、制御部３は、ファックスモードに基づく受信処理を開始し、通常のファクシミリ受信処理を行って、フィルタ有効／無効切換処理を終了する（ステップＳ３）。
【００３２】
ステップＳ２で、ファックスモードに選択されていないときには、制御部３は、内線電話機２６または外付け電話機４１がオフフックされるか、リンギング信号が継続しているかを監視し（ステップＳ４、Ｓ５）、内線電話機２６または外付け電話機４１においてオフフック操作が行われないまま、ステップＳ５で、リンギング信号検出部３１がリンギング信号を検出しなくなると、相手先が回線Ｌ１、Ｌ２を切断したと判断して、そのまま処理を終了し、待機状態に戻る。
【００３３】
ステップＳ４で、内線電話機２６または外付け電話機４１がオフフックすると、制御部３は、トーン検出部３０によるＣＮＧ信号検出処理を開始し（ステップＳ６）、モード選択が電話モードに選択されているかどうかチェックする（ステップＳ７）。
【００３４】
ステップＳ７で、電話モードが選択されていると、すなわち、送信側からのＣＮＧ信号を検出してもファクシミリ装置２側に回線Ｌ１、Ｌ２を接続する自動切換動作を行う必要がない場合は、制御部３は、１１００Ｈｚカットフィルタ２７、２８の機能を無効にしたまま、ステップＳ９に移行する。
【００３５】
ステップＳ７で、電話モードが選択されていないときには、１１００Ｈｚカットフィルタ２７、２８の機能を有効（オン）にし（ステップＳ８）、トーン検出部３０によるＣＮＧ信号検出の有無を確認する（ステップＳ９）。トーン検出部３０がＣＮＧ信号が検出したかどうかチェックする（ステップＳ９）。
【００３６】
ステップＳ９で、ＣＮＧ信号を検出すると、制御部３は、ファクシミリ通信であると判断して、ファクシミリ受信処理を開始し、通常のファクシミリ受信処理を行って、フィルタ有効／無効切換処理を終了する（ステップＳ１０）。
【００３７】
ステップＳ９で、トーン検出部３０によりＣＮＧ信号が検出されない場合は、制御部３は、回線Ｌ１、Ｌ２を内線電話機２６または外付け電話機４１に接続した状態のまま、内線電話機２６あるいは外付け電話機４１による通話を確保しつつ、１１００Ｈｚカットフィルタ２７あるいは１１００Ｈｚカットフィルタ２８で内線電話機２６あるいは外付け電話機４１から入力される１１００Ｈｚの信号成分をカットしつつ、トーン検出部３０がＣＮＧ信号を検出するかチェックするとともに、内線電話機２６あるいは外付け電話機４１がオンフックされるかを監視する（ステップＳ９、Ｓ１１）。
【００３８】
したがって、内線電話機２６あるいは外付け電話機４１を使用して、通話しているときに、内線電話機２６あるいは外付け電話機４１のマイクから入力されるＣＮＧ信号と同じ周波数（１１００Ｈｚ）の信号成分をカットした状態で、トーン検出部３０によりＣＮＧ信号を検出するかどうかをチェックしつつ、通話を行うことができ、確実にＣＮＧ信号を検出することができるとともに、内線電話機２６あるいは外付け電話機４１を使用した通話において、通話音や周囲の環境音のうちＣＮＧ信号と同様の周波数の音の信号を、トーン検出部３０がＣＮＧ信号であると誤検出することを防止することができ、ファクシミリ通信と電話機２６、４１による通話とを適切に切り換えることができる。その結果、内線電話機２６あるいは外付け電話機４１を使用した通話の途中で、誤ってファクシミリ通信に切り換えることを防止することができ、適切な通話を行うことができる。
【００３９】
その後、ＣＮＧ信号を検出することなく、ステップＳ１１で、内線電話機２６または外付け電話機４１がオンフックされると、制御部３は、回線Ｌ１、Ｌ２が切断されたと判断して、フィルタ有効／無効切換処理を終了する本処理を終了する。
【００４０】
次に、図４に示す操作表示部４のフィルタ有効／無効の設定状態に基づいて１１００Ｈｚカットフィルタ２７、２８の有効／無効を制御するフィルタ有効／無効切換処理について、以下、説明する。なお、図４の説明においては、図３と同様の処理ステップには、同一のステップナンバーを付して、その詳細な説明を省略する。
【００４１】
ファクシミリ装置１は、上記同様に、待機状態において、リレー２３により回線Ｌ１、Ｌ２を外付け電話機４１側に接続して、１１００Ｈｚカットフィルタ２７、２８の機能を無効にセットしており、この待機状態において、制御部３は、着信の有無をチェックして（ステップＳ１）、着信が有ると、モード選択がファックスモードに選択されているか否かチェックする（ステップＳ２）。
【００４２】
制御部３は、ステップＳ２で、モード選択がファックスモードに選択されていると、通常のファクシミリ受信処理を行って、フィルタ有効／無効切換処理を終了し（ステップＳ３）、ファックスモードに選択されていないときには、内線電話機２６または外付け電話機４１がオフフックされるか、リンギング信号が継続しているかを監視する（ステップＳ４、Ｓ５）。
【００４３】
制御部３は、内線電話機２６または外付け電話機４１においてオフフック操作が行われないまま、ステップＳ５で、リンギング信号検出部３１がリンギング信号を検出しなくなると、そのまま処理を終了して、待機状態に戻り、ステップＳ４で、内線電話機２６または外付け電話機４１がオフフックすると、トーン検出部３０によるＣＮＧ信号検出処理を開始して（ステップＳ６）、１１００Ｈｚカットフィルタ２７、２８がオン（有効）に設定されているかどうかチェックする（ステップＳ２０）。
【００４４】
ステップＳ２０で、１１００Ｈｚカットフィルタ２７、２８の機能選択がオン（有効）に設定されているときには、制御部３は、１１００Ｈｚカットフィルタ２７、２８をオン（有効）に設定し（ステップＳ８）、トーン検出部３０がＣＮＧ信号が検出したかどうかチェックする（ステップＳ９）。
【００４５】
ステップＳ２０で、１１００Ｈｚカットフィルタ２７、２８の機能選択がオフ（無効）に設定されているときには、制御部３は、１１００Ｈｚカットフィルタ２７、２８の機能を無効にしたまま、ステップＳ９に移行して、トーン検出部３０によるＣＮＧ信号検出の有無を確認する（ステップＳ９）。
【００４６】
以下、上記同様に、ステップＳ９で、ＣＮＧ信号を検出すると、制御部３は、ファクシミリ通信であると判断して、ファクシミリ受信処理を開始し、通常のファクシミリ受信処理を行って、フィルタ有効／無効切換処理を終了する（ステップＳ１０）。
【００４７】
ステップＳ９で、トーン検出部３０によりＣＮＧ信号が検出されない場合は、制御部３は、回線Ｌ１、Ｌ２を内線電話機２６または外付け電話機４１に接続した状態のまま、内線電話機２６あるいは外付け電話機４１による通話を確保しつつ、１１００Ｈｚカットフィルタ２７あるいは１１００Ｈｚカットフィルタ２８で、内線電話機２６あるいは外付け電話機４１から入力される１１００Ｈｚの信号成分をカットしつつ、トーン検出部３０がＣＮＧ信号を検出するかチェックするとともに、内線電話機２６あるいは外付け電話機４１がオンフックされるかを監視する（ステップＳ９、Ｓ１１）。
【００４８】
その後、ＣＮＧ信号を検出することなく、ステップＳ１１で、内線電話機２６または外付け電話機４１がオンフックされると、制御部３は、回線Ｌ１、Ｌ２が切断されたと判断して、フィルタ有効／無効切換処理を終了する本処理を終了する。
【００４９】
したがって、操作表示部４の設定内容に応じて、１１００Ｈｚを有効／無効に設定し、内線電話機２６あるいは外付け電話機４１を使用して、通話しているときに、内線電話機２６あるいは外付け電話機４１のマイクから入力されるＣＮＧ信号と同じ周波数（１１００Ｈｚ）の信号成分をカットした状態で、トーン検出部３０によりＣＮＧ信号を検出するかどうかをチェックしつつ、通話を行うことができ、確実にＣＮＧ信号を検出することができるとともに、内線電話機２６あるいは外付け電話機４１を使用した通話において、通話音や周囲の環境音のうちＣＮＧ信号と同様の周波数の音の信号を、トーン検出部３０がＣＮＧ信号であると誤検出することを防止することができ、ファクシミリ通信と電話機２６、４１による通話とを適切に切り換えることができる。
【００５０】
その結果、内線電話機２６あるいは外付け電話機４１を使用した通話の途中で、誤ってファクシミリ通信に切り換えることを防止することができ、適切な通話を行うことができる。
【００５１】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５２】
例えば、上記実施の形態においては、内線電話機と外付け電話機の双方を備えたファクシミリ装置に適用した場合について説明したが、少なくとも一方を備えているファクシミリ装置について、同様に適用することができる。
【００５３】
また、上記実施の形態においては、ＣＮＧ信号によりファクシミリ通信と電話による通話の切り換えを行う場合に適用し、信号遮断手段として、ＣＮＧ信号と同様の信号である１１００Ｈｚを遮断する１１００Ｈｚカットフィルタ２７、２８を設けているが、信号遮断手段としては、１１００Ｈｚカットフィルタに限るものではなく、また、１１００Ｈｚのみでなく、その周辺の周波数の信号をもカットするものであってもよい。そして、ＣＮＧ信号以外の信号でファクシミリ通信と電話による通話の切り換えを行う場合には、当該信号の周波数と同様の周波数の信号をカットするようにする。
【００５４】
【発明の効果】
請求項１記載の発明のファクシミリ装置によれば、電話モードにおいて電話機で通話を行っている場合、すなわち、自動切換を行う必要がない場合に、信号遮断手段により電話機による通話音の音質が低下するのを防止することができ、良好な音質で会話を行うことができる。
【００５５】
請求項２記載の発明によれば、設定手段の設定に応じて、適宜信号遮断手段の信号遮断機能を有効／無効に設定でき、適切な回線の自動切換動作を確保しつつ、通話音声の音質を向上させることができる。
【００５６】
請求項３記載の発明によれば、外付け電話機を使用している場合にも、適切な回線の自動切換動作を確保して、適切な通話を行うことができ、また、通話音声の音質を向上させることができる。
【００５７】
請求項４記載の発明によれば、内蔵電話機を使用している場合にも、適切な回線の自動切換動作を確保して、適切な通話を行うことができ、また、通話音声の音質を向上させることができる。
【図面の簡単な説明】
【図１】本発明を適用した一実施の形態のファクシミリ装置の回路ブロック図。
【図２】図１の網制御部内の回路ブロック図。
【図３】本実施の形態のファクシミリ装置によるモード設定に基づくフィルタ有効／無効切換処理のフローチャート。
【図４】本実施の形態のファクシミリ装置による有効／無効の設定状態に基づくフィルタ有効／無効切換処理のフローチャート。
【符号の説明】
１    ファクシミリ装置
２    網制御部
３    制御部
４    操作部
５    プロッタ
６    スキャナ
７    表示部
８    バス
２１    直流検出部
２２    フックスイッチ
２３    リレー
２４    トランス
２５    モデム
２６    内蔵電話機
２７、２８  １１００Ｈｚカットフィルタ
２９    ハイインピーダンストランス
３０    トーン検出部
３１    リンギング信号検出部
４１    外付け電話機
【図１】
0003659434.tif 000002
【図２】
0003659434.tif 000003
【図３】
0003659434.tif 000004
【図４】
0003659434.tif 000005